(57)【要約】【課題】発光源が高熱を発生しなくなり、高熱による化粧品の変質がなくなる発光ダイオード付き化粧鏡を提供する。【解決手段】本考案は、底ケース１０と上蓋２０と枢着ユニット３０と制御ユニット４０とを含む発光ダイオード付き化粧鏡であって、上蓋２０に枢着ユニット３０と制御ユニット４０と、が設けられており、前記制御ユニット４０によって前記枢着ユニット３０が前記上蓋２０に位置決められており、前記制御ユニット４０の前記枢着ユニット３０に対する位置決めを解除すると、前記枢着ユニット３０が前記上蓋２０に対して枢転可能であり、且つ前記制御ユニット４０が電力を前記枢着ユニット３０に供給しているので、前記枢着ユニット３０内に設けられた発光ダイオード３１２が発光して周りを照明する。【選択図】図１
0003144449.tif 000002
【実用新案登録請求の範囲】
【請求項１】
底ケースと、上蓋と、枢着ユニットと、制御ユニットと、を含む発光ダイオード付き化粧鏡において、
前記上蓋は、前記底ケースに対して開閉自在に前記底ケースに連接されており、一側に切り欠が開設された凹部を有し、前記凹部は、他側に位置決め用切り欠が開設されており、その近傍に貫通孔が開設されており、
前記枢着ユニットは、前記上蓋の凹部に合せて設けられており、第一ケーシングと、第二ケーシングと、位置決め用ピンと、バネと、係合ブロックと、を含み、前記第一ケーシングは、一側に第一凸部が設けられており、且つ発光ダイオードが設けられており、他側に位置決め用凹部が設けられており、前記第二ケーシングに合せ可能であり、前記位置決め用ピンは、前記第一ケーシングと前記第二ケーシングの内部に固定されており、一端に軸方向に沿った溝が形成されており、前記バネは、前記位置決め用ピンの溝に収容されており、一端が前記位置決め用ピンと連接しており、前記係合ブロックは、一端が前記バネの他端と連接しており前記位置決め用ピンの溝に貫入されており、前記第一ケーシングの第一凸部及び前記第二ケーシングの第二凸部が前記上蓋に設けられた凹部の切り欠に収容されており、前記係合ブロックの他端が前記上蓋に設けられた凹部に位置決められており、
前記制御ユニットは、前記上蓋に設けられており、基板と、位置決め具と、スイッチと、を含み、前記基板は、前記上蓋に設けられており、電池収容空間と、凹部と、を有し、前記電池収容空間は、電池を収容可能であり、前記枢着ユニットの第一ケーシングに設けられた発光ダイオードと電気的に連接しており、前記凹部は、前記上蓋に設けられた凹部に合せて前記枢着ユニットを収容しており、且つ切り欠及び位置決め用切り欠が形成されており、前記切り欠は、前記第一ケーシングの第一凸部と、前記第二ケーシングの第二凸部と、を収容しており、前記位置決め具は、制御片と、バネと、を含み、前記制御片は、前記基板を摺動可能であり、同じ方向に延びている、押付突起と、位置決め用突起と、触発突起と、を有し、前記押付突起が前記上蓋に開設された貫通孔を挿通して外部に突出しており、前記位置決め用突起は、前記上蓋の凹部に設けられた位置決め用切り欠と、前記基板の凹部に設けられた位置決め用切り欠と、を挿通して外部に突出しており、前記位置決め用突起は、前記枢着ユニットの前記第一ケーシングと前記第二ケーシングとの前記位置決め用凹部と係合可能であり、前記バネは、一端が前記制御片に固定されており、他端が前記基板に押付けており、前記スイッチは、前記上蓋に設けられており、互いに離間している二つの端子を有し、前記二つの端子が互いに接触しているときには電子回路がオンになり、前記二つの端子は、前記位置決め具の制御片の触発突起の突出箇所に位置されており、前記スイッチの二つの端子は、前記基板の電池収容空間と、前記枢着ユニットの第一ケーシングの発光ダイオードと、にそれぞれ電気的に連接されていることを特徴とする、
発光ダイオード付き化粧鏡。
【請求項２】
前記枢着ユニットは、第二ケーシング内に係り突起が成形されており、位置決め用ピンの一端に切り欠が成形されており、前記切り欠は前記第二ケーシングに設けられた係り突起と係合して位置決められていることを特徴とする、請求項１に記載の発光ダイオード付き化粧鏡。
【請求項３】
前記上蓋の凹部の切り欠の対向側には係り突起が成形されており、前記制御ユニットの基板の凹部は前記上蓋に設けられた凹部に応じて係り突起が成形されており、前記枢着ユニットの係合ブロックの他端には若干の切り欠が形成されており、且つ前記係合ブロックに開設された切り欠は、前記上蓋に設けられた係り突起及び前記制御ユニットに設けられた係り突起と係合して位置決められていることを特徴とする、請求項１に記載の発光ダイオード付き化粧鏡。
【請求項４】
前記制御ユニットは電池収容空間用蓋を有し、前記電池収容空間用蓋は前記制御ユニットの基板の電池収容空間をカバーすることができることを特徴とする、請求項１に記載の発光ダイオード付き化粧鏡。
【請求項５】
前記底ケースは、ケーシングと、バネと、係り具と、カバーと、ファンデーションと、を含み、前記ケーシングの一側には貫通孔が開設されており、前記バネが前記ケーシングの内部に設けられており、前記係り具は、前記ケーシングの内部に設けられており、フックと、突起と、を有し、前記バネに付勢されて前記ケーシングの貫通孔に移動され、前記突起が前記貫通孔を挿通して外部に突出しており、前記カバーは、前記ケーシングを被っており、貫通孔と、収容空間と、を有し、前記係り具のフックが前記貫通孔の近傍に位置されており、前記収容空間には前記ファンデーションが収容されており、前記制御ユニットの基板はフックを有し、前記フックは、前記底ケースのカバーに開設された貫通孔に対応しており、前記底ケースの係り具のフックに合せられていることを特徴とする、請求項１に記載の発光ダイオード付き化粧鏡。
【考案の詳細な説明】
【技術分野】
【０００１】
本考案は、化粧パウダーを収容する容器及びそのアクセサリーに関し、特に、発光ダイオードを有する発光ダイオード付き化粧鏡に関するものである。
【背景技術】
【０００２】
化粧鏡は、底ケースと上蓋を枢着して構成され、底ケースにファンデーションが収容されており、上蓋の内面に鏡が設けられているものであり、このような化粧鏡により、ユーザは何時も化粧することができ、且つ化粧時の照明を充分にするために、台湾特許出願第０９４２１８０７０号の「光源付き化粧鏡ケース」が提案され、その上蓋の内側に発光源が設けられており、化粧時の照明が不十分であるときには、発光源を使用することができる。
【０００３】
しかしながら、発光源は、一般に、電灯などが使用され、だから、高熱が発生され、化粧品の変質が加速される欠点があった。
【特許文献１】台湾特許出願第０９４２１８０７０号公報
【考案の開示】
【考案が解決しようとする課題】
【０００４】
そこで、本考案の主な目的は、発光ダイオードを発光源として使用することにより、高熱が発生しなくなり、高熱による化粧品の変質がなくなる発光ダイオード付き化粧鏡を提供することにある。
【課題を解決するための手段】
【０００５】
上記課題を解決するために、本考案の請求項１に記載の発光ダイオード付き化粧鏡によると、底ケースと、上蓋と、枢着ユニットと、制御ユニットと、を含む発光ダイオード付き化粧鏡において、前記上蓋は、前記底ケースに対して開閉自在に前記底ケースに連接されており、一側に切り欠が開設された凹部を有し、前記凹部は、他側に位置決め用切り欠が開設されており、その近傍に貫通孔が開設されており、前記枢着ユニットは、前記上蓋の凹部に合せて設けられており、第一ケーシングと、第二ケーシングと、位置決め用ピンと、バネと、係合ブロックと、を含み、前記第一ケーシングは、一側に第一凸部が設けられており、且つ発光ダイオードが設けられており、他側に位置決め用凹部が設けられており、前記第二ケーシングに合せ可能であり、前記位置決め用ピンは、前記第一ケーシングと前記第二ケーシングの内部に固定されており、一端に軸方向に沿った溝が形成されており、前記バネは、前記位置決め用ピンの溝に収容されており、一端が前記位置決め用ピンと連接しており、前記係合ブロックは、一端が前記バネの他端と連接しており前記位置決め用ピンの溝に貫入されており、前記第一ケーシングの第一凸部及び前記第二ケーシングの第二凸部が前記上蓋に設けられた凹部の切り欠に収容されており、前記係合ブロックの他端が前記上蓋に設けられた凹部に位置決められており、前記制御ユニットは、前記上蓋に設けられており、基板と、位置決め具と、スイッチと、を含み、前記基板は、前記上蓋に設けられており、電池収容空間と、凹部と、を有し、前記電池収容空間は、電池を収容可能であり、前記枢着ユニットの第一ケーシングに設けられた発光ダイオードと電気的に連接しており、前記凹部は、前記上蓋に設けられた凹部に合せて前記枢着ユニットを収容しており、且つ切り欠及び位置決め用切り欠が形成されており、前記切り欠は、前記第一ケーシングの第一凸部と、前記第二ケーシングの第二凸部と、を収容しており、前記位置決め具は、制御片と、バネと、を含み、前記制御片は、前記基板を摺動可能であり、同じ方向に延びている、押付突起と、位置決め用突起と、触発突起と、を有し、前記押付突起が前記上蓋に開設された貫通孔を挿通して外部に突出しており、前記位置決め用突起は、前記上蓋の凹部に設けられた位置決め用切り欠と、前記基板の凹部に設けられた位置決め用切り欠と、を挿通して外部に突出しており、前記位置決め用突起は、前記枢着ユニットの前記第一ケーシングと前記第二ケーシングとの前記位置決め用凹部と係合可能であり、前記バネは、一端が前記制御片に固定されており、他端が前記基板に押付けており、前記スイッチは、前記上蓋に設けられており、互いに離間している二つの端子を有し、前記二つの端子が互いに接触しているときには電子回路がオンになり、前記二つの端子は、前記位置決め具の制御片の触発突起の突出箇所に位置されており、前記スイッチの二つの端子は、前記基板の電池収容空間と、前記枢着ユニットの第一ケーシングの発光ダイオードと、にそれぞれ電気的に連接されていることを特徴とする発光ダイオード付き化粧鏡である。
【０００６】
本考案の請求項２に記載の発光ダイオード付き化粧鏡によると、前記枢着ユニットは、第二ケーシング内に係り突起が成形されており、位置決め用ピンの一端に切り欠が成形されており、前記切り欠は前記第二ケーシングに設けられた係り突起と係合して位置決められている。
【０００７】
本考案の請求項３に記載の発光ダイオード付き化粧鏡によると、前記上蓋の凹部の切り欠の対向側には係り突起が成形されており、前記制御ユニットの基板の凹部は前記上蓋に設けられた凹部に応じて係り突起が成形されており、前記枢着ユニットの係合ブロックの他端には若干の切り欠が形成されており、且つ前記係合ブロックに開設された切り欠は、前記上蓋に設けられた係り突起及び前記制御ユニットに設けられた係り突起と係合して位置決められている。
【０００８】
本考案の請求項４に記載の発光ダイオード付き化粧鏡によると、前記制御ユニットは電池収容空間用蓋を有し、前記電池収容空間用蓋は前記制御ユニットの基板の電池収容空間をカバーすることができることを特徴とする、請求項１に記載の発光ダイオード付き化粧鏡。
【０００９】
本考案の請求項５に記載の発光ダイオード付き化粧鏡によると、前記底ケースは、ケーシングと、バネと、係り具と、カバーと、ファンデーションと、を含み、前記ケーシングの一側には貫通孔が開設されており、前記バネが前記ケーシングの内部に設けられており、前記係り具は、前記ケーシングの内部に設けられており、フックと、突起と、を有し、前記バネに付勢されて前記ケーシングの貫通孔に移動され、前記突起が前記貫通孔を挿通して外部に突出しており、前記カバーは、前記ケーシングを被っており、貫通孔と、収容空間と、を有し、前記係り具のフックが前記貫通孔の近傍に位置されており、前記収容空間には前記ファンデーションが収容されており、前記制御ユニットの基板はフックを有し、前記フックは、前記底ケースのカバーに開設された貫通孔に対応しており、前記底ケースの係り具のフックに合せられている
【考案の効果】
【００１０】
本考案の発光ダイオード付き化粧鏡によれば、発光ダイオードを発光源として使用することにより、高熱が発生しなくなり、高熱による化粧品の変質がなくなるという効果を奏する。
【考案を実施するための最良の形態】
【００１１】
以下、本考案の実施の形態を図面に基づいて説明する。
【００１２】
まず、図１乃至図３を参照する。本考案に係る発光ダイオード付き化粧鏡は、底ケース１０と、上蓋２０と、枢着ユニット３０と、制御ユニット４０と、を含む。
【００１３】
底ケース１０は、ケーシング１１と、バネ１２と、係り具１３と、カバー１４と、ファンデーション１５と、を含み、ケーシング１１の一側には貫通孔が開設されており、バネ１２がケーシング１１の内部に設けられており、係り具１３は、ケーシング１１の内部に設けられており、フック１３１と、突起１３２と、を有し、バネ１２に付勢されてケーシング１１の前記貫通孔に移動され、突起１３２が前記貫通孔を挿通して外部に突出しており、カバー１４は、ケーシング１１を被っており、貫通孔１４１と、収容空間１４２と、を有し、係り具１３のフック１３１が貫通孔１４１の近傍に位置されており、収容空間１４２にはファンデーション１５が収容されている。
【００１４】
上蓋２０は、ケーシング２１と、鏡２２と、を含み、ケーシング２１が底ケース１０のケーシング１１と連接しており、且つケーシング２１がケーシング１１に対して開閉可能であり、ケーシング２１の一側に凹部２１１が形成されており、凹部２１１は、一側に切り欠２１１１が形成されており、対向側に係り突起２１１２が成形されており、他側に位置決め用切り欠２１１３が形成されており、その近傍に貫通孔２１２が開設されており、鏡２２がケーシング２１の内部に設けられている。
【００１５】
枢着ユニット３０は、上蓋２０の凹部２１１に合せて設けられており、第一ケーシング３１と、第二ケーシング３２と、位置決め用ピン３３と、バネ３４と、係合ブロック３５と、を含み、第一ケーシング３１は、一側に第一凸部３１１が設けられており、且つ発光ダイオード３１２が設けられており、他側に位置決め用凹部３１３が設けられており、第二ケーシング３２の第一ケーシング３１に設けられた第一凸部３１１に対向している側には第二凸部３２１が設けられており、第二ケーシング３２の内部には係り突起３２２が設けられており、第二ケーシング３２の第一ケーシング３１に設けられた位置決め用凹部３１３に対向している側には位置決め用凹部３２３が設けられており、第一ケーシング３１は第二ケーシング３２に合せ可能であり、位置決め用ピン３３は、第一ケーシング３１と第二ケーシング３２の内部に固定されており、一端に切り欠３３１が成形されており、切り欠３３１は第二ケーシング３２に設けられた係り突起３２２と係合して位置決められており、これにより、第一ケーシング３１と第二ケーシング３２の内部に位置決め用ピン３３を固定することができ、位置決め用ピン３３の他端には軸方向に沿った溝３３２が形成されており、バネ３４は、位置決め用ピン３３の溝３３２に収容されており、一端が位置決め用ピン３３と連接しており、係合ブロック３５は、一端がバネ３４の他端と連接しており位置決め用ピン３３の溝３３２に貫入されており、他端に若干の切り欠３５１が形成されており、第一ケーシング３１の第一凸部３１１及び第二ケーシング３２の第二凸部３２１が上蓋２０に設けられた凹部２１１の切り欠２１１１に収容されており、係合ブロック３５に設けられた切り欠３５１のうちの一つが上蓋２０に設けられた凹部２１１の係り突起２１１２に位置決められている。
【００１６】
制御ユニット４０は、上蓋２０のケーシング２１に設けられており、基板４１と、位置決め具４３と、スイッチ４４と、を含み、基板４１は、ケーシング２１に設けられており、電池収容空間４１１と、凹部４１２と、フック４１３と、を有し、電池収容空間４１１は、電池を収容可能であり、枢着ユニット３０の第一ケーシング３１に設けられた発光ダイオード３１２と電気的に連接しており、凹部４１２は、上蓋２０に設けられた凹部２１１に合せて枢着ユニット３０を収容しており、且つ切り欠４１２１と係り突起４１２２と位置決め用切り欠４１２３が形成されており、切り欠４１２１は、第一ケーシング３１の第一凸部３１１と、第二ケーシング３２の第二凸部３２１と、を収容しており、係り突起４１２２には係合ブロック３５の別の切り欠３５１が係合されて位置決められ、フック４１３は、底ケース１０のカバー１４に開設された貫通孔に対向しており、底ケース１０の係り具１３のフック１３１に合せ可能であり、電池収容空間用蓋４２は基板４１の電池収容空間４１１をカバーすることができ、位置決め具４３は、制御片４３１と、バネ４３２と、を含み、制御片４３１は、基板４１を摺動可能であり、同じ方向に延びている、押付突起４３１１と、位置決め用突起４３１２と、触発突起４３１３と、を有し、押付突起４３１１が上蓋２０に開設された貫通孔２１２を挿通して外部に突出しており、位置決め用突起４３１２は、上蓋２０の凹部２１１に設けられた位置決め用切り欠２１１３と、基板４１の凹部４１２に設けられた位置決め用切り欠４１２３と、を挿通して外部に突出しており、位置決め用突起４３１２は、枢着ユニット３０の第一ケーシング３１と第二ケーシング３２との位置決め用凹部３１３，３２３と係合可能であり、これにより、枢着ユニット３０が位置決められるようになり、バネ４３２は、一端が制御片４３１に固定されており、他端が基板４１に押付けており、これにより、制御片４３１が突起４３１１，４３１２，４３１３の延び方向に移動されるようになり、スイッチ４４は、上蓋２０のケーシング２１に設けられており、互いに離間している二つの端子４４１，４４１を有し、前記二つの端子４４１，４４１が互いに接触しているときには電子回路がオンになり、前記二つの端子４４１，４４１は、位置決め具４３の制御片４３１の触発突起４３１３の突出箇所に位置されており、端子４４１，４４１のうちの一つが触発突起４３１３に接触しており、且つスイッチ４４の二つの端子４４１，４４１は、基板４１の電池収容空間４１１と、枢着ユニット３０の第一ケーシング３１の発光ダイオード３１２と、にそれぞれ電気的に連接されている。
【００１７】
本考案に係る化粧鏡を収納しようとする場合には、制御ユニット４０の基板４１のフック４１３を、底ケース１０のカバー１４に開設された貫通孔１４１に挿通して、底ケース１０の係り具１３のフック１３１と係合することにより、底ケース１０と上蓋２０が閉めた状態になり、制御ユニット４０の位置決め具４３の制御片４３１の位置決め用突起４３１２が、枢着ユニット３０の第一ケーシング３１に設けられた位置決め用凹部３１３と、第二ケーシング３２に設けられた位置決め用凹部３２３と、に係合されて、枢着ユニット３０が位置決められるようになり、且つ枢着ユニット３０のバネ３４を旋回して、位置決め用凹部３１３，３２３に位置決め用突起４３１２を係合すると、図４に示すように、位置決め具４３のバネ４３２が更に旋回されて弾力が増加し、且つスイッチ４４の端子４４１，４４１が離間されて、スイッチ４４と、基板４１の電池収容空間４１１と、枢着ユニット３０の第一ケーシング３１の発光ダイオード３１２と、から構成される電子回路がオフ状態になる。
【００１８】
なお、本考案に係る化粧鏡を開こうとする場合には、底ケース１０の係り具１３の突起１３２を押すと、底ケース１０の係り具１３のフック１３１が制御ユニット４０の基板のフック４１３から離脱して、底ケース１０と上蓋２０が開き状態になり、なお、照明しようとする場合には、制御ユニット４０の位置決め具４３の制御片４３１の押付突起４３１１を押すと、制御片４３１の位置決め用突起４３１２が、枢着ユニット３０の第一ケーシング３１に設けられた位置決め用凹部３１３と、第二ケーシング３２に設けられた位置決め用凹部３２３と、から離脱して、枢着ユニット３０のバネ３４の回復力によって枢着ユニット３０の位置決め用ピン３３と係合ブロック３５が相対に枢転するようになり、位置決め用ピン３３が第一ケーシング３１と第二ケーシング３２の内部に固定されており、係合ブロック３５が上蓋２０のケーシング２１と係合して位置決められているので、枢着ユニット３０と上蓋２０が相対に枢転するようになり、なお、制御片４３１の位置決め用突起４３１２が、枢着ユニット３０の第一ケーシング３１に設けられた位置決め用凹部３１３と、第二ケーシング３２に設けられた位置決め用凹部３２３と、から離脱するときには、図５に示すように、位置決め具４３のバネ４３２の回復力によって制御片４３１が押付けられて移動して、制御片４３１の触発突起４３１３がスイッチ４４の端子４４１，４４１のうちの一つを押付けて移動し、これにより、スイッチ４４の端子４４１，４４１が接触するようになり、ひいてはスイッチ４４と、基板４１の電池収容空間４１１と、枢着ユニット３０の第一ケーシング３１の発光ダイオード３１２と、から構成される電子回路がオン状態になり、そうすると、電池収容空間４１１に収容された電池の電力が発光ダイオード３１２に供給されて発光ダイオード３１２が点灯されるようになり、周りを照明することができる。
【図面の簡単な説明】
【００１９】
【図１】本考案に係る発光ダイオード付き化粧鏡の分解斜視図
【図２】本考案に係る発光ダイオード付き化粧鏡の組合せ状態の斜視図
【図３】本考案に係る発光ダイオード付き化粧鏡が発光ダイオードによって照明している状態の概略図
【図４】本考案に係るスイッチと電池収容空間と発光ダイオードがオフされている状態の概略図
【図５】本考案に係るスイッチと電池収容空間と発光ダイオードがオンされている状態の概略図
【符号の説明】
【００２０】
１０：底ケース、１２：バネ、１３：係り具、１４：カバー、１５：ファンデーション、２０：上蓋、２１：ケーシング、２２：鏡、３０：枢着ユニット、３１：第一ケーシング、３２：第二ケーシング、３３：位置決め用ピン、３４：バネ、３５：係合ブロック、４０：制御ユニット、４１：基板、４２：電池収容空間用蓋、４３：位置決め具、４４：スイッチ、１１１：ケーシング、１３１：フック、１３２：突起、１４１：貫通孔、１４２：収容空間、２１１：凹部、２１２：貫通孔、３１１：第一凸部、３１２：発光ダイオード、３１３：位置決め用凹部、３２１：第二凸部、３２２：係り突起、３２３：位置決め用凹部、３３１：切り欠、３３２：溝、３５１：切り欠、４１１：電池収容空間、４１２：凹部、４１３：フック、４３１：制御片、４３２：バネ、４４１：端子、２１１１：切り欠、２１１２：係り突起、２１１３：位置決め用切り欠、４１２１：切り欠、４１２２：係り突起、４１２３：位置決め用切り欠、４３１１：押付突起、４３１２：位置決め用突起、４３１３：触発突起。
【図１】
0003144449.tif 000003
【図２】
0003144449.tif 000004
【図３】
0003144449.tif 000005
【図４】
0003144449.tif 000006
【図５】
0003144449.tif 000007